(57)【要約】【課題】従来例に比較して作業効率を改善することができ、しかも操作性を大幅に改善することができる表示制御装置及び方法を提供する。【解決手段】選択的に表示可能な複数のレイアウトからレイアウトを選択して表示するためのレイアウトタブと、選択的に表示可能な複数のシートからシートを選択して表示するためのシートタブとのいずれかを所定の表示領域内に並置して表示する表示制御装置において、上記レイアウトタブと上記シートタブとを２段で表示する。また、上記レイアウトタブと上記シートタブとのうちのいずれか１つを１段で表示し、入力操作に応答してレイアウトタブとシートタブとを選択的に切り換えるように表示する。【選択図】図８
2010152695.tif 000002
【特許請求の範囲】
【請求項１】
選択的に表示可能な複数のレイアウトからレイアウトを選択して表示するためのレイアウトタブと、選択的に表示可能な複数のシートからシートを選択して表示するためのシートタブとのいずれかを所定の表示領域内に並置して表示する表示制御装置において、
上記レイアウトタブと上記シートタブとを２段で表示する制御手段を備えたことを特徴とする表示制御装置。
【請求項２】
選択的に表示可能な複数のレイアウトからレイアウトを選択して表示するためのレイアウトタブと、選択的に表示可能な複数のシートからシートを選択して表示するためのシートタブとのいずれかを所定の表示領域内に並置して表示する表示制御装置において、
上記レイアウトタブと上記シートタブとのうちのいずれか１つを１段で表示し、入力操作に応答してレイアウトタブとシートタブとを選択的に切り換えるように表示する制御手段を備えたことを特徴とする表示制御装置。
【請求項３】
上記制御手段は、上記レイアウトタブの形状と、上記シートタブの形状とを互いに異なるように表示することを特徴とする請求項１又は２記載の表示制御装置。
【請求項４】
上記制御手段は、上記レイアウトタブ及び上記シートタブの少なくとも一方の文字色、背景色及びフォントの少なくとも１つを互いに異なるように表示することを特徴とする請求項１乃至３のうちのいずれか１つに記載の表示制御装置。
【請求項５】
選択的に表示可能な複数のレイアウトからレイアウトを選択して表示するためのレイアウトタブと、選択的に表示可能な複数のシートからシートを選択して表示するためのシートタブとのいずれかを所定の表示領域内に並置して表示する表示制御方法において、
上記レイアウトタブと上記シートタブとを２段で表示する制御ステップを含むことを特徴とする表示制御方法。
【請求項６】
選択的に表示可能な複数のレイアウトからレイアウトを選択して表示するためのレイアウトタブと、選択的に表示可能な複数のシートからシートを選択して表示するためのシートタブとのいずれかを所定の表示領域内に並置して表示する表示制御方法において、
上記レイアウトタブと上記シートタブとのうちのいずれか１つを１段で表示し、入力操作に応答してレイアウトタブとシートタブとを選択的に切り換えるように表示する制御ステップを含むことを特徴とする表示制御方法。
【請求項７】
上記制御ステップは、上記レイアウトタブの形状と、上記シートタブの形状とを互いに異なるように表示することを特徴とする請求項５又は６記載の表示制御方法。
【請求項８】
上記制御ステップは、上記レイアウトタブ及び上記シートタブの少なくとも一方の文字色、背景色及びフォントの少なくとも１つを互いに異なるように表示することを特徴とする請求項５乃至７のうちのいずれか１つに記載の表示制御方法。
【請求項９】
請求項５乃至８のうちのいずれか１つに記載の表示制御方法の制御ステップを含むことを特徴とする、コンピュータにより実行可能なプログラム。
【請求項１０】
請求項９記載のプログラムを記録したことを特徴とする、コンピュータにより読取可能な記録媒体。
【発明の詳細な説明】
【技術分野】
【０００１】
本発明は、例えばＣＡＤ（Computer Aided Design）等の図面をアプリケーション上で操作するときのレイアウトタブ及びシートタブの表示を制御するための表示制御装置及び方法、プログラム並びにそのプログラムを記録したコンピュータにより読取可能な記録媒体に関する。
【背景技術】
【０００２】
ＡｕｔｏＣＡＤやエクセルなどのＣＡＤ図面や帳票データを扱うアプリケーションにおいて、複数のデータを階層状に保持する場合、その階層単位で扱いやすいように「シート」と呼ばれる階層を持ち、「シートタブ」でシートの名前を表示したり、カレントシートを切り替えたりということが行えるようになっている。上記「シートタブ」は、「タスクバー」ともいわれており、その表示制御については、例えば特許文献１及び２において開示されている。
【０００３】
まず、特許文献１においては、アクティブ・ウィンドウを有する各アプリケーション用に、ボタンのような視覚的な手掛かりをもたらすために「タスクバー」を提供しており、以下のことが開示されている。これらの視覚的な手掛かりは、ユーザに対して現在アクティブになっているウィンドウについての情報を与えるとともに、当該アクティブ・ウィンドウを表示するために使用することもできる。「タスクバー」には、プログラムのランチ、ドキュメントのオープン及び、システム・セッティングのコントロールのためのメニューに対するユーザのアクセスを可能にするスタート・メニュー・ボタンを備えてもよく、この「タスクバー」は、サイズ変更が可能であり、ビデオ・ディスプレイ上の異なる位置にアンカーすることもできる。「タスクバー」は、他のウィンドウによる隠蔽が不可能なモードで動作可能である。さらに、他のウィンドウが非最小化状態にあるときは、このタスクバーを表示しないモードで動作させてもよい。
【０００４】
また、特許文献２においては、対応するアプリケーションのリッチプレゼンテーション「タスクバー」ボタンを表示するためのシステム又は方法を提供しており、以下のことが開示されている。例えばリッチプレゼンテーションのための「タスクバー」ボタンは、プログラミングインタフェースを通じて、アプリケーションからの内容を受け取り、「タスクバー」ボタンに関連付けられるアプリケーションウィンドウのサムネイルを表示した後消去する。ディスプレイ上にサムネイルをピン留めし、あるいはサムネイルを消すこともでき、「タスクバー」内のタスクバーボタンの種類に基づいて、個々のタスクバーボタンのサイズを制御し、「タスクバー」ボタンを統合し、「タスクバー」ボタンをオーバーフローに設置する等、「タスクバー」内に複数の「タスクバー」ボタンを表示する。
【０００５】
さらに、例えば、建築設備設計のための設備図面を作成するためのＣＡＤアプリケーションソフトウェアである「キャドウェルティーファス（ＣＡＤＷｅ’ｌｌ  Ｔｆ＠Ｓ）２００７」（以下、従来例という。）が知られている（例えば、非特許文献１参照。）。当該従来例では、１つのモデル空間に対して、１枚の図面と同様に扱われるレイアウトが複数存在し、各レイアウトに複数のシートが重ね合わせを行えるような図面構成において、モデル空間／レイアウト、シートを切り替えるためのＧＵＩとして以下のように表示制御されている。
【０００６】
図２は従来例に係るＣＡＤアプリケーションソフトウェアを実行したときの「モデル／レイアウト」選択表示において「モデル」をクリックしたときの「モデル／レイアウト」選択表示の表示例を示し、図３はそのときのシートタブの表示例を示す。また、図４は図２の「モデル／レイアウト」選択表示において「レイアウト１」をクリックしたときの「モデル／レイアウト」選択表示の表示例を示し、図５はそのときのシートタブの表示例を示す。さらに、図６は図４の「モデル／レイアウト」選択表示において「レイアウト２」をクリックしたときの「モデル／レイアウト」選択表示の表示例を示し、図７はそのときのシートタブの表示例を示す。図２乃至図７から明らかなように、タブ表示部の左上部がカレントの「モデル／レイアウト」の表示となっており、そこを左クリックすると「モデル／レイアウト」選択表示のメニューが表示され、「モデル／レイアウト」が選択して切り替えできるようになっている。ここで、「モデル／レイアウト」を選択して切り替えすると、カレントの「モデル／レイアウト」のシートが図３、図５、図７のようにタブで並置して表示されるようになっている。
【０００７】
【特許文献１】特開平８−２５５０６６号公報。
【特許文献２】特開２００６−１６４２９０号公報。
【非特許文献１】株式会社ダイテック，「キャドウェルティーファス（ＣＡＤＷｅ’ｌｌ  Ｔｆ＠Ｓ）２００７の製品に関する情報」，［２００８年１２月１０日検索］，インターネット（ＵＲＬ：http://soft.daitec.co.jp/products/catalog/tfas2007/tfas_01.htm）。
【発明の開示】
【発明が解決しようとする課題】
【０００８】
しかしながら、上述の従来例においては、レイアウトとシートが混在していなかったときは、レイアウトもシートも同様にタブで切り替えするＧＵＩとなっていたために、以下のような問題点があった。
（１）レイアウトをすぐに切り替えられない。また、どのように切り替えてよいかのイメージがつかず作業効率が悪い。
（２）タブであるがために使い勝手が良かった下記のような点について利便性が失われてしまうことになる。
（ａ）他図面へのドラッグ・アンド・ドロップによる移動や複写操作。
（ｂ）複数選択によるレイアウト編集操作（例えば、移動／複写、削除、属性変更など）。
（ｃ）状態（例えば、カレント／非カレントの状態）毎の、文字色、背景色やフォント種類の違いによる視覚的な認識性。
【０００９】
本発明の目的は以上の問題点を解決し、従来例に比較して作業効率を改善することができ、しかも操作性を大幅に改善することができるレイアウトタブ及びシートタブの表示制御装置及び方法、プログラム並びに記録媒体を提供することにある。
【課題を解決するための手段】
【００１０】
第１の発明に係る表示制御装置は、選択的に表示可能な複数のレイアウトからレイアウトを選択して表示するためのレイアウトタブと、選択的に表示可能な複数のシートからシートを選択して表示するためのシートタブとのいずれかを所定の表示領域内に並置して表示する表示制御装置において、
上記レイアウトタブと上記シートタブとを２段で表示する制御手段を備えたことを特徴とする。
【００１１】
第２の発明に係る表示制御装置は、選択的に表示可能な複数のレイアウトからレイアウトを選択して表示するためのレイアウトタブと、選択的に表示可能な複数のシートからシートを選択して表示するためのシートタブとのいずれかを所定の表示領域内に並置して表示する表示制御装置において、
上記レイアウトタブと上記シートタブとのうちのいずれか１つを１段で表示し、入力操作に応答してレイアウトタブとシートタブとを選択的に切り換えるように表示する制御手段を備えたことを特徴とする。
【００１２】
上記表示制御装置において、上記制御手段は、上記レイアウトタブの形状と、上記シートタブの形状とを互いに異なるように表示することを特徴とする。
【００１３】
また、上記表示制御装置において、上記制御手段は、上記レイアウトタブ及び上記シートタブの少なくとも一方の文字色、背景色及びフォントの少なくとも１つを互いに異なるように表示することを特徴とする。
【００１４】
第３の発明に係る表示制御方法は、選択的に表示可能な複数のレイアウトからレイアウトを選択して表示するためのレイアウトタブと、選択的に表示可能な複数のシートからシートを選択して表示するためのシートタブとのいずれかを所定の表示領域内に並置して表示する表示制御方法において、
上記レイアウトタブと上記シートタブとを２段で表示する制御ステップを含むことを特徴とする。
【００１５】
第４の発明に係る表示制御方法は、選択的に表示可能な複数のレイアウトからレイアウトを選択して表示するためのレイアウトタブと、選択的に表示可能な複数のシートからシートを選択して表示するためのシートタブとのいずれかを所定の表示領域内に並置して表示する表示制御方法において、
上記レイアウトタブと上記シートタブとのうちのいずれか１つを１段で表示し、入力操作に応答してレイアウトタブとシートタブとを選択的に切り換えるように表示する制御ステップを含むことを特徴とする。
【００１６】
上記表示制御方法において、上記制御ステップは、上記レイアウトタブの形状と、上記シートタブの形状とを互いに異なるように表示することを特徴とする。
【００１７】
また、上記表示制御方法において、上記制御ステップは、上記レイアウトタブ及び上記シートタブの少なくとも一方の文字色、背景色及びフォントの少なくとも１つを互いに異なるように表示することを特徴とする。
【００１８】
さらに、第５の発明に係るコンピュータにより実行可能なプログラムは、上記第３又は第４の発明に係る表示制御方法の制御ステップを含むことを特徴とする。
【００１９】
第６の発明に係るコンピュータで読取可能な記録媒体は、上記第５の発明に係るプログラムを記録したことを特徴とする。
【発明の効果】
【００２０】
本発明に係るレイアウトタブ及びシートタブの表示制御装置及び方法によれば、上記レイアウトタブと上記シートタブとを２段で表示することで、下記の効果が得られる。
（１）レイアウトをすぐに切り替えることができ、従来例に比較して操作性を大幅に改善できる。
（２）切り替え等の操作方法を習得しやすく、従来例に比較して作業効率を改善することができる。
【００２１】
また、本発明に係るレイアウトタブ及びシートタブの表示制御装置及び方法によれば、上記レイアウトタブと上記シートタブとのうちのいずれか１つを１段で表示し、入力操作に応答してレイアウトタブとシートタブとを選択的に切り換えるように表示することで、下記の効果が得られる。
（１）レイアウトに対する編集操作性や状態の視覚的な認識性が保つことができるので、従来例に比較して作業効率を改善することができる。
（２）レイアウト及びシートに対して同じタブ操作となり操作性が統一できるので、従来例に比較して操作性を大幅に改善できる。
【発明を実施するための最良の形態】
【００２２】
以下、本発明に係る実施形態について図面を参照して説明する。なお、以下の各実施形態において、同様の構成要素については同一の符号を付している。
【００２３】
図１は本発明の実施形態に係るレイアウトタブ及びシートタブの表示制御装置の構成を示すブロック図である。図１の表示制御装置は例えば情報処理装置であるパーソナルコンピュータ１０を含むディジタル計算機にてなり、後述する表示制御処理を実行することを特徴としている。ここで、シートタブとは、「シート見出し」、「シートバー」、「タスクバー」ともいわれ、ディスプレイ４３上で選択的に表示される各シート（又はタスク）を当該タブ又はバーをマウス４２を用いてクリックすることにより選択するためのタブである。また、レイアウトタブとは、ディスプレイ４３上で選択的に表示される各レイアウト（ＣＡＤによるレイアウト図面等を表示する）を当該タブ又はバーをマウス４２を用いてクリックすることにより選択するためのタブである。以下の実施形態では、ＣＡＤ図面の表示例を参照して説明する。
【００２４】
図１において、上記表示制御処理及びＣＡＤのプログラムは例えばＣＤ−ＲＯＭ４５ａからＣＤ−ＲＯＭドライブ装置４５及びそのインターフェース３５ａを介してハードディスクメモリ２３に予め格納され、また、ＣＡＤ図面のデータは例えばハードディスクメモリなどの外部記憶装置６０からそのインターフェース３５ｂを介してハードディスクメモリ２３に予め格納されている。
【００２５】
本実施形態に係るシートタブの表示制御装置のパーソナルコンピュータ１０は、
（ａ）当該パーソナルコンピュータ１０の動作及び処理（表示制御処理を含む）を演算及び制御するコンピュータのＣＰＵ（中央演算処理装置）２０と、
（ｂ）オペレーションプログラムなどの基本プログラム及びそれを実行するために必要なデータを格納するＲＯＭ（読み出し専用メモリ）２１と、
（ｃ）ＣＰＵ２０のワーキングメモリとして動作し、当該表示制御処理などで必要なパラメータやデータを一時的に格納するＲＡＭ（ランダムアクセスメモリ）２２と、
（ｄ）当該表示制御処理などにおいて用いる表示制御プログラムや各種データを格納するためのハードディスクメモリ２３と、
（ｅ）所定のデータや指示コマンドを入力するためのキーボード４１に接続され、キーボード４１から入力されたデータや指示コマンドを受信して所定の信号変換などのインターフェース処理を行ってＣＰＵ２０に伝送するキーボードインターフェース３１と、
（ｆ）ＣＲＴディスプレイ４３上で指示コマンドを入力するためのマウス４２に接続され、マウス４２から入力されたデータや指示コマンドを受信して所定の信号変換などのインターフェース処理を行ってＣＰＵ２０に伝送するマウスインターフェース３２と、
（ｇ）ＣＰＵ２０によって処理されたデータや設定指示画面、生成されたデータなどを表示するＣＲＴディスプレイ４３に接続され、表示すべき画像データをＣＲＴディスプレイ４３用の画像信号に変換してＣＲＴディスプレイ４３に出力して表示するディスプレイインターフェース３３と、
（ｈ）ＣＰＵ２０によって処理されたデータなどを印字するプリンタ４４に接続され、印字すべき印字データの所定の信号変換などを行ってプリンタ４４に出力して印字するプリンタインターフェース３４と、
（ｉ）当該表示制御処理のプログラムが記憶されたＣＤ−ＲＯＭ４５ａから当該プログラムのプログラムデータを読み出すＣＤ−ＲＯＭドライブ装置４５に接続され、読み出された画像処理プログラムのプログラムデータを所定の信号変換などを行ってプログラムメモリ２４に転送するドライブ装置インターフェース３５ａと、
（ｊ）例えばＣＡＤ図面などのデータを記憶する、例えばハードディスクメモリなどの外部記憶装置６０に接続され、読み出されたデータを所定の信号変換などを行ってＣＰＵ２０又はハードディスクメモリ２３に転送するドライブ装置インターフェース３５ｂとを備え、
これらの回路２０−２３、３１−３４、３５ａ及び３５ｂはバス３０を介して接続される。
【００２６】
以下に示す実施形態においては、ＣＡＤ等のアプリケーション上のレイアウトとシートの重ね合わせが混在する場合のタブ表示制御方法について以下に説明する。具体的には、選択的に表示可能な複数のレイアウトからレイアウトを選択して表示するためのレイアウトタブと、選択的に表示可能な複数のシートからシートを選択して表示するためのシートタブとのいずれかを所定の表示領域内に並置して表示する表示制御装置において、レイアウトタブとシートタブとを混在させて表示する。なお、本実施形態では、従来例の操作性を確保するためにレイアウトもタブにて操作可能としている。
【００２７】
図８は本実施形態に係る、２段表示時のレイアウトタブ及びシートタブの表示例を示す正面図である。図８から明らかなように、レイアウトタブとシートタブとを２段で表示することを特徴としている。図８において、下側の１段目において、シート１−１、シート１−２、シート１−３、シート１−４などを含むシートタブが表示されるとともに、その直上の２段目において作業空間、レイアウト１，レイアウト２などを含むレイアウトタブが表示されている。ここで、レイアウトタブとシートタブのタブの形状を変えることで、区別することも可能である。図８の表示例では、シートタブとレイアウトタブの各左辺（垂直方法）の形状を互いに異ならせている。さらに、各タブの文字色、背景色、フォントを変えてもよい。
【００２８】
図９は本実施形態に係る、１段表示時のレイアウトタブの表示例を示す正面図であり、図１０は本実施形態に係る、１段表示時のシートタブの表示例を示す正面図である。図９及び図１０から明らかなように、レイアウトタブとシートタブとのうちのいずれか１つを１段で表示し、入力操作に応答してレイアウトタブとシートタブとを選択的に切り換えるように表示したことを特徴としている。図９において、作業空間、レイアウト１，レイアウト２などを含むレイアウトタブが表示されている。ここで、カレントのレイアウトタブをクリックし、もしくは所定の時間以上経過、又はキーボード入力、コマンド入力などをトリガーとしてシートタブ表示（図１０）に切り替わる。図１０において、先頭にレイアウト２のレイアウトタブを表示し、続いて、シート１、シート２、シート３、シート４などを含むシートタブを表示している。先頭のカレントのレイアウトタブをクリックすることで、レイアウトタブの表示（図９）に切り替えるように制御される。
【００２９】
ここで、レイアウトタブとシートタブのタブの形状を変えることで、区別することも可能である。図９及び図１０の表示例では、シートタブとレイアウトタブの各左辺（垂直方法）の形状を互いに異ならせている。さらに、各タブの文字色、背景色、フォントを変えてもよい。
【００３０】
変形例．
以上の実施形態においては、上記表示制御処理のための処理プログラムが記憶されたコンピュータにより読取可能なＣＤ−ＲＯＭ４５ａを用いているが、本発明はこれに限らず、ＣＤ−Ｒ，ＣＤ−ＲＷ，ＤＶＤ，ＤＶＤ−Ｒ，ＤＶＤ−ＲＷ，ＤＶＤ−ＲＡＭなどのコンピュータにより読取可能な種々の記録媒体を用いてもよい。
【００３１】
以上の実施形態において、レイアウトタブの形状と、シートタブの形状とを互いに異なるように表示してもよいし、また、レイアウトタブ及びシートタブの少なくとも一方の文字色、背景色及びフォントの少なくとも１つを互いに異なるように表示してもよい。
【産業上の利用可能性】
【００３２】
以上詳述したように、本発明に係る表示制御装置及び方法によれば、上記レイアウトタブと上記シートタブとを２段で表示することで、下記の効果が得られる。
（１）レイアウトをすぐに切り替えることができ、従来例に比較して操作性を大幅に改善できる。
（２）切り替え等の操作方法を習得しやすく、従来例に比較して作業効率を改善することができる。
【００３３】
また、本発明に係るレイアウトタブ及びシートタブの表示制御装置及び方法によれば、上記レイアウトタブと上記シートタブとのうちのいずれか１つを１段で表示し、入力操作に応答してレイアウトタブとシートタブとを選択的に切り換えるように表示することで、下記の効果が得られる。
（１）レイアウトに対する編集操作性や状態の視覚的な認識性が保つことができるので、従来例に比較して作業効率を改善することができる。
（２）レイアウト及びシートに対して同じタブ操作となり操作性が統一できるので、従来例に比較して操作性を大幅に改善できる。
【図面の簡単な説明】
【００３４】
【図１】本発明の実施形態に係るレイアウトタブ及びシートタブの表示制御装置の構成を示すブロック図である。
【図２】従来例に係るＣＡＤアプリケーションソフトウェアである「キャドウェルティーファス（ＣＡＤＷｅ’ｌｌ  Ｔｆ＠Ｓ）２００７」を実行したときの「モデル／レイアウト」選択表示において「モデル」をクリックしたときの「モデル／レイアウト」選択表示の表示例を示す正面図である。
【図３】図２の「モデル／レイアウト」選択表示において「モデル」をクリックしたときのシートタブの表示例を示す正面図である。
【図４】図２の「モデル／レイアウト」選択表示において「レイアウト１」をクリックしたときの「モデル／レイアウト」選択表示の表示例を示す正面図である。
【図５】図２の「モデル／レイアウト」選択表示において「レイアウト１」をクリックしたときのシートタブの表示例を示す正面図である。
【図６】図４の「モデル／レイアウト」選択表示において「レイアウト２」をクリックしたときの「モデル／レイアウト」選択表示の表示例を示す正面図である。
【図７】図４の「モデル／レイアウト」選択表示において「レイアウト２」をクリックしたときのシートタブの表示例を示す正面図である。
【図８】本実施形態に係る、２段表示時のレイアウトタブ及びシートタブの表示例を示す正面図である。
【図９】本実施形態に係る、１段表示時のレイアウトタブの表示例を示す正面図である。
【図１０】本実施形態に係る、１段表示時のシートタブの表示例を示す正面図である。
【符号の説明】
【００３５】
１０…パーソナルコンピュータ、
２０…ＣＰＵ、
２１…ＲＯＭ、
２２…ＲＡＭ、
２３…ハードディスクメモリ、
３０…バス、
３１…キーボードインターフェース、
３２…マウスインターフェース、
３３…ディスプレイインターフェース、
３４…プリンタインターフェース、
３５ａ，３５ｂ…ドライブ装置インターフェース、
４１…キーボード、
４２…マウス、
４３…ＣＲＴディスプレイ、
４４…プリンタ、
４５…ＣＤ−ＲＯＭドライブ装置、
４５ａ…ＣＤ−ＲＯＭ、
６０…外部記憶装置。
【図１】
2010152695.tif 000003
【図２】
2010152695.tif 000004
【図３】
2010152695.tif 000005
【図４】
2010152695.tif 000006
【図５】
2010152695.tif 000007
【図６】
2010152695.tif 000008
【図７】
2010152695.tif 000009
【図８】
2010152695.tif 000010
【図９】
2010152695.tif 000011
【図１０】
2010152695.tif 000012